(57)【要約】【課題】  固有振動と動負荷に伴う振動との共振を良好に防止する。【解決手段】  磁気共鳴イメージング装置のＸ，Ｙ，Ｚの各軸方向の少なくともいずれか１つの軸方向（第１の軸方向）に沿った固有振動に関する情報を含んだ入力スペクトル情報を記憶部１０４に記憶しておく。制御部１０７は、操作者の指示などに応じて設定した撮像条件での撮像のために発生される第１の軸方向の傾斜磁場の変化に伴う磁気共鳴イメージング装置の第１の軸方向に関する振動特性を、複数スライス分に渡る傾斜磁場の変化を考慮して推定する。制御部１０７は、上記の推定した振動特性と入力スペクトル情報とに基づいて共振による第１の方向の振動パワーが閾値以上であるかを判断する。そして制御部１０７は、上記パワーが閾値以上になるときには上記撮像条件を変更し、上記パワーが閾値以上にはならないときには撮像条件を撮像に用いる条件として確定する。【選択図】      図１
2005270326.tif 000002
【特許請求の範囲】
【請求項１】
第１の軸方向に沿って強度に傾きを持つ第１の傾斜磁場を発生する手段を備える磁気共鳴イメージング装置であって、
この磁気共鳴イメージング装置の前記第１の軸方向に沿った固有振動に関する第１の固有振動情報を記憶する手段と、
撮像条件を設定する設定手段と、
設定された前記撮像条件での撮像のために発生される前記第１の傾斜磁場の変化に伴う前記磁気共鳴イメージング装置の前記第１の軸方向に関する振動特性を、複数スライス分に渡る前記第１の傾斜磁場の変化を考慮して推定する手段と、
推定された前記振動特性と前記第１の固有振動情報とに基づいて共振による前記第１の方向の振動のパワーが閾値以上になるか否かを判断する第１の判断手段とを具備し、
さらに前記設定手段は、前記第１の判断手段により前記パワーが前記閾値以上になると判断されるならば前記撮像条件を変更し、前記パワーが前記閾値以上にはならないと判断されたときの前記撮像条件を撮像に用いる条件として確定することを特徴とする磁気共鳴イメージング装置。
【請求項２】
前記第１の軸方向に直交する第２の軸方向に沿った前記磁気共鳴イメージング装置の固有振動に関する第２の固有振動情報を記憶する手段と、
前記第２の軸方向に沿って強度に傾きを持つ第２の傾斜磁場を発生する手段と、
設定された前記撮像条件での撮像のために発生される前記第２の傾斜磁場の変化に伴う前記磁気共鳴イメージング装置の前記第２の軸方向に関する第２の振動特性を、複数スライス分に渡る前記第２の傾斜磁場の変化を考慮して推定する手段と、
推定された前記第２の振動特性と前記第２の固有振動情報とに基づいて共振による前記第２の方向の振動のパワーが閾値以上になるか否かを判断する第２の判断手段とをさらに具備し、
さらに前記設定手段は、前記第１または前記第２の判断手段により前記パワーが前記閾値以上になると判断されるならば前記撮像条件を変更し、前記第１および前記第２の判断手段により前記パワーがいずれも前記閾値以上にはならないと判断されたときの前記撮像条件を撮像に用いる条件として確定することを特徴とする請求項１に記載の磁気共鳴イメージング装置。
【請求項３】
前記第１の軸方向および前記第２の軸方向のそれぞれに直交する第３の軸方向に沿った前記磁気共鳴イメージング装置の固有振動に関する第３の固有振動情報を記憶する手段と、
前記第３の軸方向に沿って強度に傾きを持つ第３の傾斜磁場を発生する手段と、
設定された前記撮像条件での撮像のために発生される前記第３の傾斜磁場の変化に伴う前記磁気共鳴イメージング装置の前記第３の軸方向に関する第３の振動特性を、複数スライス分に渡る前記第３の傾斜磁場の変化を考慮して推定する手段と、
推定された前記第３の振動特性と前記第３の固有振動情報とに基づいて共振による前記第３の方向の振動のパワーが閾値以上になるか否かを判断する第３の判断手段とをさらに具備し、
さらに前記設定手段は、前記第１乃至第３の判断手段のいずれかにより前記パワーが前記閾値以上になると判断されるならば前記撮像条件を変更し、前記第１乃至第３の判断手段のいずれもが前記パワーが前記閾値以上にならないと判断されたときの前記撮像条件を撮像に用いる条件として確定することを特徴とする請求項２に記載の磁気共鳴イメージング装置。
【請求項４】
前記設定手段は、前記撮像条件を変更するときには単位時間当りのスライス数を変更することを特徴とする請求項１乃至請求項３のいずれか１項に記載の磁気共鳴イメージング装置。
【請求項５】
前記設定手段は、前記撮像条件を変更するときには前記第１乃至第３の傾斜磁場のいずれかの変化シーケンスを変更することを特徴とする請求項１乃至請求項３のいずれかに記載の磁気共鳴イメージング装置。
【発明の詳細な説明】
【技術分野】
【０００１】
本発明は、磁気共鳴現象を利用して磁気共鳴画像を生成する磁気共鳴イメージング（Magnetic Resonance Imaging：ＭＲＩ）装置に関する。
【背景技術】
【０００２】
磁気共鳴イメージング装置は、固有の磁気モーメントを持つ核の集団が一様な静磁場中に置かれたときに、特定の周波数で回転する高周波磁場のエネルギーを共鳴的に吸収する現象を利用して、物質の化学的及び物理的な微視的情報を映像化し、あるいは化学シフトスペクトラムを観測する装置である。
【０００３】
この磁気共鳴イメージング装置による診断画像の撮像は、例えば次のようにして実行される。すなわち、磁石により形成される静磁場と傾斜磁場コイル２により形成される傾斜磁場とからなる合成磁場の中に、被検体を配置する。この様にセッティングされた被検体に対して、磁気共鳴現象を発生させるための所定周波数の高周波を印加する。印加された高周波により、被検体において磁気共鳴信号が発生し、これを受信用高周波コイルにより受信し画像化する。
【０００４】
このように磁気共鳴イメージング装置では、データ収集に際して静磁場の中で傾斜磁場を変化させるため、傾斜磁場コイル２にローレンツ力による動負荷がかかる。また、静磁場を作る磁石についても、電磁誘導や傾斜磁場コイル２との機械的結合による伝播により動負荷がかかる。この負荷の振動数が傾斜磁場の支持系の固有振動数や、磁石の固有振動数に近づくと共振を起こすようになる。共振が起き始めると振幅が大きくなり、画像がぼけたり、ＦＳＥ（Fast Spin Echo）法など複数のエコーを利用して画像化するシーケンスで信号低下による画質劣化をもたらす。また、画質への影響以外にも、被検者に振動による不快感を与えるなどの不具合がある。
【０００５】
なお、傾斜磁場波形の変化に伴って発生する騒音を低減する技術は、例えば特許文献１により知られている。特許文献１では、リードパルスの強度や印加時間を所定の範囲内で設定し、その設定されたリードパルスのスペクトルを推定し、計測された騒音特性からリードパルスから発生する騒音のパワーを推定する。推定した騒音のパワーが最も小さくなるリードパルスを推定することで、ＥＰＩ（Echo Planar Imaging）などのリードパルスを高速にスイッチングさせるシーケンスでの騒音を抑制する技術が開示されている。そして特許文献１には、騒音の応答関数スペクトルは複数のピーク（共振モード）を有するので、リードパルスシーケンスの基本周波数等を上記ピークから適当にずらすことにより騒音レベルを低減できることが開示されている。
【０００６】
しかしながら特許文献１では、１スライス分の期間におけるスペクトルのみに着目しているため、計測される騒音特性は比較的高周波な振動のみに関する特性となり、騒音の抑制効果は不十分となってしまう恐れがある。
【特許文献１】特開平４−２０８１３４号公報
【発明の開示】
【発明が解決しようとする課題】
【０００７】
以上のように従来は、固有振動と動負荷に伴う振動との共振が発生し、画質が劣化したり、被検者に不快感を与えるなどの不具合があった。
【０００８】
本発明はこのような事情を考慮してなされたものであり、その目的とするところは、固有振動と動負荷に伴う振動との共振を良好に防止することができる磁気共鳴イメージング装置を提供することにある。
【課題を解決するための手段】
【０００９】
以上の目的を達成するために本発明は、第１の軸方向に沿って強度に傾きを持つ第１の傾斜磁場を発生する手段を備える磁気共鳴イメージング装置であって、この磁気共鳴イメージング装置の前記第１の軸方向に沿った固有振動に関する第１の固有振動情報を記憶する手段と、撮像条件を設定する設定手段と、設定された前記撮像条件での撮像のために発生される前記第１の傾斜磁場の変化に伴う前記磁気共鳴イメージング装置の前記第１の軸方向に関する振動特性を、複数スライス分に渡る前記第１の傾斜磁場の変化を考慮して推定する手段と、推定された前記振動特性と前記第１の固有振動情報とに基づいて共振による前記第１の方向の振動のパワーが閾値以上になるか否かを判断する第１の判断手段とを具備し、さらに前記設定手段は、前記第１の判断手段により前記パワーが前記閾値以上になると判断されるならば前記撮像条件を変更し、前記パワーが前記閾値以上にはならないと判断されたときの前記撮像条件を撮像に用いる条件として確定することとした。
【発明の効果】
【００１０】
本発明によれば、設定された撮像条件の下での動負荷に伴う振動と固有振動とによる共振のパワーが閾値以上になる場合には上記撮像条件が変更され、共振のパワーが閾値未満となる撮像条件が実際の撮像に適用される。しかも、振動特性を複数スライス分に渡る傾斜磁場の変化を考慮して推定するので、基本モードを含む低次モードの固有振動までも考慮して、固有振動と動負荷に伴う振動との共振を良好に防止することができる。
【発明を実施するための最良の形態】
【００１１】
以下、図面を参照して本発明の一実施形態につき説明する。  
図１は本実施形態に係る磁気共鳴イメージング装置の構成を示す図である。この図１に示す磁気共鳴イメージング装置は、静磁場磁石１、傾斜磁場コイル２、傾斜磁場制御部３、高周波コイル４、寝台５、送信部６、受信部７、ハイブリッド回路８、寝台制御部９および計算機システム１０を具備する。
【００１２】
静磁場磁石１は、中空の円筒形をなし、内部の空間に一様な静磁場を発生する。この静磁場磁石１としては、例えば永久磁石、超伝導磁石等が使用される。
【００１３】
傾斜磁場コイル２は、中空の円筒形をなし、静磁場磁石１の内側に配置される。傾斜磁場コイル２は、互いに直交するＸ，Ｙ，Ｚの各軸に対応する３つのコイルが組み合わされている。傾斜磁場コイル２は、上記の３つのコイルが傾斜磁場制御部３から個別に電流供給を受けて、磁場強度がＸ，Ｙ，Ｚの各軸に沿って傾斜する傾斜磁場を発生する。なお、Ｚ軸方向は、例えば静磁場と同方向とする。Ｘ，Ｙ，Ｚ各軸の傾斜磁場は、例えば、スライス選択用傾斜磁場Ｇs、位相エンコード用傾斜磁場Ｇeおよびリードアウト用傾斜磁場Ｇrにそれぞれ対応される。スライス選択用傾斜磁場Ｇsは、任意に撮像断面を決めるために利用される。位相エンコード用傾斜磁場Ｇeは、空間的位置に応じて磁気共鳴信号の位相をエンコードするために利用される。リードアウト用傾斜磁場Ｇrは、空間的位置に応じて磁気共鳴信号の周波数をエンコードするために利用される。
【００１４】
傾斜磁場制御部３は、予め定められたシーケンスおよび制御部１０７により設定された撮像条件に従って、スライス選択用傾斜磁場Ｇs、位相エンコード用傾斜磁場Ｇeおよびリードアウト用傾斜磁場Ｇrを例えば周知のように制御する。
【００１５】
高周波コイル４は、送信部６から高周波パルスの供給を受けて、高周波磁場を発生する。また高周波コイル４は、上記の高周波磁場の影響により被検体Ｐから放射される磁気共鳴信号を受信する。高周波コイル４は、２つの高周波コイル（図示せず）を含む。
【００１６】
寝台５は、被検体Ｐを載置するための台である。寝台５は、その一部である天板が図１中の左右方向にスライド可能であり、これにより被検体Ｐと高周波コイル４との相対的な位置を変更する。
【００１７】
送信部６は、発振部、位相選択部、周波数変換部、振幅変調部および高周波電力増幅部（いずれも図示せず）を有している。発振部は、静磁場中における対象原子核に固有の共鳴周波数の高周波信号を発生する。位相選択部は、上記高周波信号の位相を選択する。周波数変調部は、位相選択部から出力された高周波信号の周波数を変調する。振幅変調部は、周波数変調部から出力された高周波信号の振幅を例えばシンク間数に従って変調する。高周波電力増幅部は、振幅変調部から出力された高周波信号を増幅する。そしてこれらの各部の動作の結果として送信部６は、ラーモア周波数に対応する高周波パルスを高周波コイル４に供給するべく送出する。
【００１８】
受信部７は、前段増幅器、位相検波器およびアナログディジタル変換器（いずれも図示せず）を有している。受信部７は、ハイブリッド回路８から出力される磁気共鳴信号を増幅する。位相検波器は、前置増幅器から出力される磁気共鳴信号の位相を検波する。アナログディジタル変換器は、位相検波器から出力される信号をディジタル信号に変換する。
【００１９】
ハイブリッド回路８は、送信部６から送出される高周波パルスから高周波コイル４の２つの高周波コイルのそれぞれに供給する２系統の高周波パルスを生成する。ハイブリッド回路８は、２つの高周波コイルからそれぞれ出力される磁気共鳴信号を合成した上で、受信部７へと送る。
【００２０】
寝台制御部９は、移動機構部および移動制御部（いずれも図示せず）を有する。移動機構部は、寝台５の天板を静磁場磁石１の軸方向に往復移動させる。移動制御部は、オペレータからの指令などに応じて適宜に天板を移動させるように移動機構部を制御する。
【００２１】
計算機システム１０は、インタフェース部１０１、データ収集部１０２、再構成部１０３、記憶部１０４、表示部１０５、入力部１０６および制御部１０７を有している。
【００２２】
インタフェース部１０１には、傾斜磁場制御部３、送信部６、受信部７および寝台制御部９等が接続される。インタフェース部１０１は、これらの接続された各部と計算機システム１０との間で授受される信号の入出力を行う。
【００２３】
データ収集部１０２は、受信部７から出力されるディジタル信号をインタフェース部１０１を介して収集する。データ収集部１０２は、収集したディジタル信号、すなわち磁気共鳴信号データを、記憶部１０４に格納する。
【００２４】
再構成部１０３は、記憶部１０４に記憶された磁気共鳴信号データに対して、後処理、すなわちフーリエ変換等の再構成を実行し、被検体Ｐ内の所望核スピンのスペクトラムデータあるいは画像データを求める。
【００２５】
記憶部１０４は、磁気共鳴信号データと、スペクトラムデータあるいは画像データとを、患者毎に記憶する。また記憶部１０４には、この磁気共鳴イメージング装置の設置作業などの際に入力される入力スペクトル情報を記憶する。
【００２６】
表示部１０５は、スペクトラムデータあるいは画像データ等の各種の情報を制御部１０７の制御の下に表示する。表示部１０５としては、液晶表示器などの表示デバイスを利用可能である。
【００２７】
入力部１０６は、オペレータからの各種指令や情報入力を受け付ける。入力部１０６としては、マウスやトラックボールなどのポインティングデバイス、モード切替スイッチ等の選択デバイス、あるいはキーボード等の入力デバイスを適宜に利用可能である。
【００２８】
制御部１０７は、図示していないＣＰＵやメモリ等を有しており、本実施形態の磁気共鳴イメージング装置を総括的に制御する。制御部１０７は、磁気共鳴イメージング装置の周知の動作を実現するための制御機能の他に、設定機能、推定機能および判断機能を備える。設定機能により制御部１０７は、撮像条件を設定する。推定機能により制御部１０７は、設定した撮像条件で撮像するための動作に伴う磁気共鳴イメージング装置のＸ，Ｙ，Ｚ軸の各方向についての振動の周波数特性を推定する。判断機能により制御部１０７は、上記撮像条件での撮像により磁気共鳴イメージング装置に共振が発生するか否か判断する。
【００２９】
次に以上のように構成された磁気共鳴イメージング装置の動作について説明する。なお、被検体Ｐの画像を得るための動作は従来通りであるのでここでは説明を省略する。そして以下では、本発明に係る特徴的な動作について説明する。
【００３０】
まず、この磁気共鳴イメージング装置を使用するためには、Ｘ，Ｙ，Ｚの各軸方向に沿った磁気共鳴イメージング装置の固有振動の特性を示した入力スペクトル情報を記憶部１０４に記憶させておく。入力スペクトル情報は、予め静磁場磁石１や傾斜磁場コイル２とそれらの支持系との関係で決まる振動の周波数特性をＸ，Ｙ，Ｚの各軸方向について推定し、これらの周波数特性のそれぞれに固有周波数近傍の成分を強調するようなフィルタ処理を施すことにより作成する。上記の周波数特性の推定は、静磁場磁石１や傾斜磁場コイル２の支持機構の適当な位置に設置した加速度センサの出力に基づいて行うことができる。具体的には例えば、傾斜磁場コイル２への入力信号の周波数を掃引して各周波数ごとの振動（変位）を計測する。あるいは、傾斜磁場コイル２への入力信号としてインパルスを用い、その応答のフーリエ変換をする。
【００３１】
図２および図３は同一の磁気共鳴イメージング装置を２つの支持方法でそれぞれ支持した状態で傾斜磁場コイル２への入力信号の周波数を掃引して測定した変位を示す図である。図２は傾斜磁場コイル２のＸ軸方向の変位を示す。図３は静磁場磁石１のＹ軸方向の変位を示す。これらの図に示すように、同一の磁気共鳴イメージング装置であっても、支持方法の違いにより固有振動数が変化する。このため、例えば磁気共鳴イメージング装置の設置後の初期調整作業において、周波数特性の測定、入力スペクトル情報の作成および当該入力スペクトル情報の入力を作業者が行うようにすると良い。
【００３２】
さて、撮像を行う場合に制御部１０７は、図４に示すような処理を実行する。  
ステップＳＴ１において制御部１０７は設定機能により、入力部１０６にてなされる操作者による指示などに基づいて撮像条件（撮像に用いるシーケンスの種類および撮像パラメータなど）を設定する。
【００３３】
ステップＳＴ２において制御部１０７は推定機能により、ステップＳＴ１で設定した条件下で撮像するために必要となるスライス選択用傾斜磁場Ｇs、位相エンコード用傾斜磁場Ｇeおよびリードアウト用傾斜磁場Ｇrのそれぞれの傾斜磁場波形を計算し、それらの周波数特性を求める。すなわち制御部１０７は、Ｘ，Ｙ，Ｚの各軸方向に関する傾斜磁場の周波数特性をそれぞれ推定する。
【００３４】
ステップＳＴ３において制御部１０７は判断機能により、上記の推定した周波数特性と記憶部１０４に記憶されている入力スペクトル情報が示す入力スペクトルとから、Ｘ，Ｙ，Ｚの各軸方向についての振動パワーを計算する。
【００３５】
さて、傾斜磁場コイル２などは比較的重量が大きいため、例えば図３から分るように固有振動数は９〜１１Hzと比較的小さな値となる。５倍の高調波まで磁気共鳴イメージング装置の振動に大きく影響を与えると考えると、上記の振動パワーを計算するためには固有振動数の１／５の周波数までの特性（最低の周波数）を把握する必要がある。すなわち、固有振動数が９〜１１Hzとするならば、約１．８〜２．２Hｚ程度までの特性を把握する必要がある。
【００３６】
サンプリング定理から、
ｆ＝１／（２ｔ）
ｔ＝１／２ｆ
であるから、
ｆ＝１．８Hzの時、ｔ＝２７７ms
ｆ＝２．２Hzの時、ｔ＝２２７ms
となる。
【００３７】
すなわち、固有振動数が９Hzの場合は、２７７ms以上に渡っての傾斜磁場波形から周波数特性を計算する必要がある。固有振動数が上がると必要な時間は短くなるが、１１Hｚの場合でも２２７msは必要となる。一般的な磁気共鳴イメージング装置では、上記の例より固有周波数が著しく高くなることはないから、通常は２００ms以上に渡る傾斜磁場波形から周波数特性を計算することが必要となる。一方、傾斜磁場コイル２を駆動するためのパルスシーケンスは、１スライスの期間で１シーケンスが完了するから、周波数特性の計算には１スライス分の傾斜磁場波形の全てに基づく必要がある。１スライスの期間は大きくても百数十ms程度であるから、１スライス分の傾斜磁場波形では上記の２００msに足りない。そこで上記のステップＳＴ２においては、複数スライス分の傾斜磁場波形から周波数特性を計算することとする。
【００３８】
ステップＳＴ４において制御部１０７は判断機能により、ステップＳＴ３にて計算した各軸方向の振動パワーのいずれかが予め決められた閾値以上であるか否かを判断する。もし、ステップＳＴ４にてＹＥＳと判断したならば制御部１０７は、ステップＳＴ４からステップＳＴ５へ進む。
【００３９】
さて、図５はＸ軸方向の傾斜磁場を制御するためのパルスシーケンスの一例を示す図である。この図５に示すパルスシーケンスは、エコー間隔が２０msのＦＳＥシーケンスで、繰返し時間（ＴＲ）を４０００ms、スライス枚数を１５枚にした時のものである。このような条件下で、スライス枚数のみを１５枚の他、１４枚、１３枚、１２枚と変化させた場合のＸ軸方向に関する入力パワースペクトルをそれぞれ計算した結果を図６に示す。
【００４０】
図６から、スライス枚数を変更することにより、入力パワーが大きくなる周波数が変化することが分る。従って、既に設定されている撮像パラメータのうちのスライス枚数を変更することによって、撮像動作に伴う磁気共鳴イメージング装置の振動、すなわち動負荷に伴う振動の周波数特性を変化させることができる。
【００４１】
図７は図５に示すパルスシーケンスに対してスライス毎に極性を反転させるように変更したパルスシーケンスを示す図である。図５に示すパルスシーケンスを適用した場合と、図７に示すパルスシーケンスを適用した場合とのＸ軸方向に関する入力パワースペクトルをそれぞれ計算した結果を図８に示す。
【００４２】
図８から、極性を反転させないパルスシーケンスと極性を反転させるパルスシーケンスとを切替えることにより、入力パワーが大きくなる周波数が変化することが分る。従って、既に設定されているパルスシーケンスを別のパルスシーケンスに変更することによって、動負荷に伴う振動の周波数特性を変化させることができる。
【００４３】
そこでステップＳＴ５においては、既に設定されたシーケンスの種類または撮像パラメータのうちで上述のように動負荷に伴う振動の周波数特性を変化させることができる要素を変更する。なお、どの変更対象とする要素は、いずれか１つの要素を固定的に定めておいても良いし、ユーザにより選択させても良い。また、予め定められた要素を制御部１０７が自動的に変更しても良いし、ユーザによる指示に応じて変更しても良い。
【００４４】
具体的には、図６を見ると、１５枚スライスの場合には１１Hz近傍で入力スペクトルが大きくなることが判る。図２における支持方法Ｂが採用された磁気共鳴イメージング装置の場合には、１１Hz付近に共振点があるので、上記のＦＳＥの場合にはスライス枚数を１５枚にすると共振を起こす可能性が高く、ステップＳＴ３で大きな振動パワーが算出される。そこでこのような場合に、スライス枚数を変更する。
【００４５】
このようにシーケンスの種類または撮像パラメータを変更し終えたならば制御部１０７は、ステップＳＴ２以降の処理を繰り返す。これにより、ステップＳＴ３にて計算した各軸方向の振動パワーの全てが予め決められた閾値未満となるまで、シーケンスの種類または撮像パラメータが変更される。そして、ステップＳＴ４にてＮＯと判断したならば制御部１０７は、ステップＳＴ４からステップＳＴ６へ進む。
【００４６】
ステップＳＴ６において制御部１０７は設定機能により、この時点で設定されているシーケンスの種類および撮像パラメータを実際の撮像の際に使用する条件として決定する。そしてこののちに制御部１０７は、上記の決定した条件の下での撮像処理へと移行する。
【００４７】
以上のように本実施形態によれば、共振が発生する条件で撮像することが避けられる。このため、振動に起因する画質劣化や被験者の不快感を低減することができる。特に本実施形態においては、Ｘ，Ｙ，Ｚの各軸方向とも共振が発生しないように撮像条件の設定を行うようにしているから、磁気共鳴イメージング装置の振動を良好に防止することができる。ただし、磁気共鳴イメージング装置の構造によっては、特定の軸方向についてはどのような撮像条件下においても共振が起きにくかったり、特定の軸方向についての共振が起きるとしてもそのパワーが小さく、大きな振動は生じないような場合もある。このような場合には、そのような特定の軸方向についての共振回避のための処理を省略し、１軸方向または２軸方向のみを対象として上記の処理を行うようにしても良い。
【００４８】
この実施形態は、次のような種々の変形実施が可能である。  
入力スペクトル情報の代わりに固有周波数の周波数値を示す情報を記憶部１０４に記憶しておき、ステップＳＴ２で求められる周波数特性における上記固有周波数のパワーが閾値以上であるか否かステップＳＴ４にて判断するようにしても良い。この場合、ステップＳＴ３は省略される。  
動負荷に伴う振動の周波数特性は、スライス枚数を変えずに繰返し時間（ＴＲ）を長くし、単位時間あたりのスライス数を減らすことにより変化させることもできる。あるいは、固有振動数と重なることが避けられない場合には、固有周期と重なるような繰り返しで出力される傾斜磁場を探しだし、画像化に支障がない範囲内でその強度を下げることで、固有振動数近傍での成分を小さくすることにより共振を避けることも可能である。従って、変更する撮像条件の要素は、上記の繰り返し時間や強度などのような他の要素としても良い。
【００４９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５０】
【図１】本発明の一実施形態に係る磁気共鳴イメージング装置の構成を示す図。
【図２】同一の磁気共鳴イメージング装置を２つの支持方法でそれぞれ支持した状態で傾斜磁場コイル２への入力信号の周波数を掃引して測定した傾斜磁場コイル２のＸ軸方向の変位を示す図。
【図３】同一の磁気共鳴イメージング装置を２つの支持方法でそれぞれ支持した状態で傾斜磁場コイル２への入力信号の周波数を掃引して測定した静磁場磁石１のＹ軸方向の変位を示す図。
【図４】撮像を行う場合の制御部１０７の処理手順を示すフローチャート。
【図５】Ｘ軸方向の傾斜磁場を制御するためのパルスシーケンスの一例を示す図。
【図６】スライス枚数を変化させた場合のＸ軸方向に関する入力パワースペクトルの周波数特性の変化を示す図。
【図７】図５に示すパルスシーケンスに対してスライス毎に極性を反転させるように変更したパルスシーケンスを示す図。
【図８】図５および図７に示すパルスシーケンスでのＸ軸方向に関する入力パワースペクトルの周波数特性の変化を示す図。
【符号の説明】
【００５１】
１…静磁場磁石、２…傾斜磁場コイル、３…傾斜磁場制御部、４…高周波コイル、５…寝台、６…送信部、７…受信部、８…ハイブリッド回路、９…寝台制御部、１０…計算機システム、１０１…インタフェース部、１０２…データ収集部、１０３…再構成部、１０４…記憶部、１０５…表示部、１０６…入力部、１０７…制御部。
【図１】
2005270326.tif 000003
【図２】
2005270326.tif 000004
【図３】
2005270326.tif 000005
【図４】
2005270326.tif 000006
【図５】
2005270326.tif 000007
【図６】
2005270326.tif 000008
【図７】
2005270326.tif 000009
【図８】
2005270326.tif 000010